(57)【要約】【課題】  振幅変調装置内の複数の増幅器が故障した場合でも放送品質に与える影響を少なくする。【解決手段】  振幅変調装置１は、電力増幅部１１ａ〜１１ｈと、放送に使用される搬送波を電力増幅部１１ａ〜１１ｈに分配する搬送波分配部１２と、電力増幅部１１ａ〜１１ｈの出力を合成する合成部１４と、合成部１４の出力の搬送波の近傍の周波数成分のみを通過するバンドパスフィルタ１５と、電力増幅部１１ａ〜１１ｈの故障をそれぞれ検知する複数の故障検知部１６ａ〜１６ｈと、検知された故障の数に基づいて音声入力信号のレベルを分類する段数を切り替える変調度制御部１７と、音声入力信号のレベルを上記段数で分類し、前記段数に対応する数のスイッチング制御信号により対応する前記複数の電力増幅部をそれぞれスイッチング制御するスイッチング制御部１３と、を有する。【選択図】      図１
2020031365.tif 000002
【特許請求の範囲】
【請求項１】
複数の電力増幅部と、
放送に使用される搬送波を前記複数の電力増幅部に分配する搬送波分配部と、
前記複数の電力増幅部の出力を合成する合成部と、
前記合成部の出力の前記搬送波の近傍の周波数成分のみを通過するバンドパスフィルタと、
前記複数の電力増幅部の故障をそれぞれ検知する複数の故障検知部と、
検知された前記故障の数に基づいて音声入力信号のレベルを分類する段数を切り替える変調度制御部と、
前記音声入力信号のレベルを前記段数で分類し、前記段数に対応する数のスイッチング制御信号により対応する前記複数の電力増幅部をそれぞれスイッチング制御するスイッチング制御部と、
を有する振幅変調装置。
【請求項２】
前記スイッチング制御部は、
前記段数に応じた複数のしきい値を生成し、前記複数のしきい値に基づいて前記音声入力信号のレベルを前記段数で分類し、前記段数に対応する数のスイッチング制御信号を出力するスイッチング制御信号生成部と、
各段において前記各段より下位の段の電力増幅部の故障の数だけ前記各段より下位の段のスイッチング制御信号を選択する複数の故障補償部と、
を有する請求項１に記載の振幅変調装置。
【請求項３】
前記複数の故障補償部は、
前記各段より下位の段の電力増幅部の故障の数をカウントする加算器と、
前記各段より前記故障の数だけ下位の段のスイッチング制御信号を選択するマルチプレクサと、
をそれぞれ有する請求項２に記載の振幅変調装置。
【請求項４】
前記スイッチング制御部は、
前記段数に応じた複数のしきい値を生成し、前記複数のしきい値に基づいて前記音声入力信号のレベルを前記段数で分類し、前記段数に対応する数のスイッチング制御信号を出力するスイッチング制御信号生成部と、
各段において前記各段より上位の電力増幅部の故障の数だけ前記各段より上位の段のスイッチング制御信号を選択する複数の故障補償部と、
を有する請求項１に記載の振幅変調装置。
【請求項５】
前記故障補償部は、
前記各段より上位の段の電力増幅部の故障の数をカウントする加算器と、
前記各段より前記故障の数だけ上位の段のスイッチング制御信号を選択するマルチプレクサと、
をそれぞれ有する請求項４に記載の振幅変調装置。
【請求項６】
前記変調度制御部は、
前記複数の故障検知部から入力される故障検知信号を加算する加算器と、
前記複数の電力増幅部の数から前記故障検知台数を減算して前記段数を算出する減算部と、
を有する請求項１から５のいずれかに記載の振幅変調装置。
【請求項７】
複数の電力増幅部と、放送に使用される搬送波を前記複数の電力増幅部に分配する搬送波分配部と、前記複数の電力増幅部の出力を合成する合成部と、前記合成部の出力の前記搬送波の近傍の周波数成分のみを通過するバンドパスフィルタと、を有する振幅変調装置の故障補償方法において、
前記複数の電力増幅部の故障をそれぞれ検知し、
検知された前記故障の数に基づいて音声入力信号のレベルを分類する段数を切り替え、
前記音声入力信号のレベルを前記段数で分類し、
前記段数に対応する数のスイッチング制御信号により対応する前記複数の電力増幅部をそれぞれスイッチング制御する、
故障補償方法。
【発明の詳細な説明】
【技術分野】
【０００１】
本発明は、振幅変調装置及びその故障補償方法に関し、特に、複数台のスイッチング電力増幅部を搬送波周波数で動作させ、出力を直列合成する振幅変調装置及びその故障補償方法に関する。
【背景技術】
【０００２】
中波ラジオなどの送信機において、終段デジタル振幅変調方式が広く普及している。この方式においてはアナログ音声入力がデジタル変換され、複数台のスイッチング電力増幅部が搬送波周波数で動作し、出力が直列合成されることで振幅変調及び増幅が行われている。例えば特許文献１にこの種の振幅変調装置が開示されている。
【０００３】
特許文献１に開示されている振幅変調装置では、入力端から入力された音声信号Ａは、Ａ／Ｄコンバータに加えられ、例えば１２ビットのデジタル信号に変換され、符号器に加えられる。符号器は、１２ビットの２進符号に対応する４０９５個（＃１〜＃４０９５）の出力端を有しており、それらの出力端のうち、デジタル信号のビットで定まる所定の出力端から信号が出力される。符号器の出力端には、それぞれ搬送波切替器（＃１〜＃４０９５）が接続され、各搬送波切替器はスイッチング電力増幅器（＃１〜＃４０９５）に接続される。搬送波切替器は符号器の出力端から出力１が加えられると、ＯＮ状態になる。
【０００４】
一方、搬送波信号は、分配器でスイッチング電力増幅器と等しい数の４０９５個に分割され、搬送波切替器に加えられる。そして、ＯＮ状態にある搬送波切替器を通して搬送波信号がスイッチング電力増幅器に加えられる。スイッチング電力増幅器に加えられた搬送波信号は増幅され、合成器に加えられる。合成器は、各スイッチング電力増幅器（＃１〜＃４０９５）に個別に接続される一次巻線（＃１〜＃４０９５）と、各一次巻線と個別に結合し互いが直列に接続される二次巻線（＃１〜＃４０９５）とで構成されている。したがって、複数のスイッチング電力増幅器のうち、動作状態にあるスイッチング電力増幅器の出力が合成器で合成される。合成された出力は帯域フィルタでＡＭ変調波となり、出力端から出力される。
【０００５】
このような振幅変調装置機において、変調が深くなる（音声信号のレベルが高くなる）につれて上位ビットに割り振られている電力増幅部が動作していくため、最下位ビットに割り振られている電力増幅部が最も動作時間が長く、割り振られているビットが上位になるにつれて、電力増幅部の動作時間は短くなっていく。
【０００６】
一方で、雷の被害を受けてアンテナからサージ電圧が送信機まで印加されることで電力増幅器が故障し、出力電力の低下や歪率の悪化を招くことがある。電力増幅器が故障した場合、割り当てられている電力増幅器の出力波形が欠損する。例えば、動作時間の長い下位の段の電力増幅器が故障すると出力電力が大きく低下し、中間の電力増幅器が故障すると歪率が顕著に悪化する。よって中間から下位に割り当てられている電力増幅器が故障すると放送品質に与える影響が大きい。
【０００７】
この対策のため、例えば特許文献２には、制御信号と各電力増幅器の対応関係を変更することで放送品質に与える影響を軽減する技術が開示されている。特許文献２に開示されている振幅変調送信機は、高周波増幅器の２段目が故障した場合、対応する高周波増幅器故障検出器が動作して故障信号が交換器に入力される。交換器は入力された故障信号によって、例えば、２段目の高周波増幅器に対応する制御信号を、最上位ビットに割り振られている５段目の高周波増幅器の制御信号と交換する。
【先行技術文献】
【特許文献】
【０００８】
【特許文献１】特開平０６−２７６０２１号公報
【特許文献２】特開平０４−１５６１１３号公報
【発明の概要】
【発明が解決しようとする課題】
【０００９】
近年、高効率化等のため、送信機には、上位ビットに割り振られている電力増幅部でも比較的長く動作する構成が採用されている。したがって複数の高周波増幅器が故障した場合、特許文献２のように制御信号と各電力増幅器の対応関係を変更するのみでは、放送品質に与える影響が大きい。近年ＡＭラジオは地震や災害時に確実に放送出来ることを特に重要視されており、異常発生時であっても可能な限り高品質な放送を確保する需要が高まっている。
【００１０】
本発明は、振幅変調装置内の複数の電力増幅器が故障した場合でも放送品質に与える影響を少なくすることを主な目的としている。
【課題を解決するための手段】
【００１１】
本発明の１つの側面による振幅変調装置は、複数の電力増幅部と、放送に使用される搬送波を前記複数の電力増幅部に分配する搬送波分配部と、前記複数の電力増幅部の出力を合成する合成部と、前記合成部の出力の前記搬送波の近傍の周波数成分のみを通過するバンドパスフィルタと、前記複数の電力増幅部の故障をそれぞれ検知する複数の故障検知部と、検知された前記故障の数に基づいて音声入力信号のレベルを分類する段数を切り替える変調度制御部と、前記音声入力信号のレベルを前記段数に分類し、前記段数に対応する数のスイッチング制御信号により対応する前記複数の電力増幅部をそれぞれスイッチング制御するスイッチング制御部と、を有する。
【００１２】
本発明の１つの側面による故障補償方法は、複数の電力増幅部と、放送に使用される搬送波を前記複数の電力増幅部に分配する搬送波分配部と、前記複数の電力増幅部の出力を合成する合成部と、前記合成部の出力の前記搬送波の近傍の周波数成分のみを通過するバンドパスフィルタと、を有する振幅変調装置の故障補償方法であって、前記複数の電力増幅部の故障をそれぞれ検知し、検知された前記故障の数に基づいて音声入力信号のレベルを分類する段数を切り替え、前記音声入力信号のレベルを前記段数で分類し、前記段数に対応する数のスイッチング制御信号により対応する前記複数の電力増幅部をそれぞれスイッチング制御する。
【発明の効果】
【００１３】
本発明の上記側面によれば、振幅変調装置内の複数の電力増幅部が故障した場合でも放送品質に与える影響を少なくすることができる。
【図面の簡単な説明】
【００１４】
【図１】図１は、第１の実施形態の振幅変調装置の構成の一例を示すブロック図である。
【図２】図２は、図１のスイッチング制御部から各電力増幅部に入力されるスイッチング制御信号を示す図である。
【図３】図３は、各電力増幅部がすべて正常な場合の合成部の出力及び振幅変調信号を示す図である。
【図４】図４は、複数の電力増幅部が故障し故障補償動作がされない場合の合成部の出力及び振幅変調信号を示す図である。
【図５】図５は、図１の動作を示すフローチャートである。
【図６】図６は、複数の電力増幅部が故障したときの図１のスイッチング制御部の動作を示す図である。
【図７】図７は、スイッチング制御部が図６のように動作した場合の合成部の出力及び振幅変調信号を示す図である。
【図８】図８は、第２の実施形態の振幅変調装置の構成の一例を示すブロック図である。
【図９】図９は、図８の動作を示すフローチャートである。
【図１０】図１０は、第３の実施形態の振幅変調装置の構成の一例を示すブロック図である。
【発明を実施するための形態】
【００１５】
次に例示的な第１の実施形態について図面を参照して説明する。図１は、第１の実施形態の振幅変調装置の構成の一例を示すブロック図である。第１の実施形態は、入力されたアナログ音声を搬送波信号にて変調及び増幅して出力する送信機の実施形態である。また第１の実施形態においては、８台の電力増幅部を備え、当初、音声入力信号のレベルを８段に分類して８台の増幅部をスイッチング制御する送信機を例として説明する。なお電力増幅部の台数は８台に限定されない。また音声入力信号のレベルを分類する段数は８に限定されず、電力増幅部の台数以下の任意の数としてよい。
【００１６】
図１に示すように、本実施形態の振幅変調装置１は、複数の電力増幅部１１ａ〜１１ｈと、搬送波分配部１２と、スイッチング制御部１３と、合成部１４と、バンドパスフィルタ１５を備えている。
【００１７】
搬送波分配部１２は、放送に使用される搬送波を電力増幅部１１ａ〜１１ｈに分配する。スイッチング制御部１３は、振幅変調装置１に入力される音声入力信号のレベルに対応するスイッチング制御信号により電力増幅部１１ａ〜１１ｈをそれぞれスイッチング制御する。
【００１８】
なお以下、電力増幅部１１ａ〜１１ｈはそれぞれ１〜８段目の電力増幅部ともいう。すなわち電力増幅部１１ａ〜１１ｈはこの順で動作する音声入力信号のレベルが高くなり、したがって動作する時間が短くなるとする。つまり電力増幅部１１ａが最も下位の段の電力増幅部、すなわち入力信号が最も低いレベルで動作する電力増幅部であり、電力増幅部１１ｈが最も上位の電力増幅部、すなわち入力信号が最も高いレベルで動作する電力増幅部であるとする。また１段目の電力増幅部に入力されるスイッチング制御信号は、１段目のスイッチング制御信号ともいい、１段目のスイッチング制御信号より上位の段の電力増幅部に入力され１段目のスイッチング制御信号と異なるスイッチング制御信号は、１段目より上位の段のスイッチング制御信号ともいう。またｉ段目のスイッチング制御信号の次に上位の段のスイッチング制御信号は、ｉ＋１段目のスイッチング制御信号ともいう。
【００１９】
図２は、図１の電力増幅部に入力されるスイッチング制御信号の概要を示す図である。本実施形態においては音声入力信号のレベルを分類する段数に応じて８段に分類するための８個のしきい値がスイッチング制御部１３に設定される。例えば図２に示すように、入力信号の電圧でＶ１を１段目のしきい値とし、ｉ段目（ｉは１から８までの整数）のしきい値はｉ×Ｖ１とする。
【００２０】
スイッチング制御部１３は、図２に示すように、音声入力信号のレベルが１段目のしきい値未満のｔ３からｔ４、及びｔ１７からｔ１８の期間は、１段目以上のすべての電力増幅部に入力するスイッチング制御信号を０（スイッチオフ）とする。またスイッチング制御部１３は、音声入力信号のレベルがｉ段目（ｉは１から７までの整数）のしきい値以上で、ｉ＋１段目のしきい値未満の期間は、ｉ段目以下のスイッチング制御信号を１（スイッチオン）とし、ｉ＋１段目以上のスイッチング制御信号を０とする。すなわちスイッチング制御部１３は、音声入力信号のレベルが１段目のしきい値以上で、２段目のしきい値未満のｔ２からｔ３、ｔ４からｔ５、ｔ１６からｔ１７及びｔ１８からｔ１９の期間は、１段目の電力増幅部に入力するスイッチング制御信号を１（スイッチオン）とし、２段目以上の電力増幅部に入力するスイッチング制御信号を０とする。
【００２１】
またスイッチング制御部１３は、音声入力信号のレベルが２段目のしきい値以上で、３段目のしきい値未満のｔ１からｔ２、ｔ５からｔ６、ｔ１５からｔ１６及びｔ１９からｔ２０の期間は、２段目以下の段の電力増幅部に入力するスイッチング制御信号を１とし、３段目以上の電力増幅部に入力するスイッチング制御信号を０とする。またスイッチング制御部１３は、音声入力信号のレベルが３段目のしきい値以上で、４段目のしきい値未満のｔ６からｔ７、ｔ１４からｔ１５、及びｔ２０からｔ２１の期間は、３段目以下の電力増幅部に入力するスイッチング制御信号を１とし、４段目以上の電力増幅部に入力するスイッチング制御信号を０とする。
【００２２】
またスイッチング制御部１３は、音声入力信号のレベルが４段目のしきい値以上で、５段目のしきい値未満のｔ７からｔ８、及びｔ１３からｔ１４の期間は、４段目以下の電力増幅部に入力するスイッチング制御信号を１とし、５段目以上の電力増幅部に入力するスイッチング制御信号を０とする。またスイッチング制御部１３は、音声入力信号のレベルが５段目のしきい値以上で、６段目のしきい値未満のｔ８からｔ９、及びｔ１２からｔ１３の期間は、５段目以下の電力増幅部に入力するスイッチング制御信号を１とし、６段目以上の電力増幅部に入力するスイッチング制御信号を０とする。
【００２３】
またスイッチング制御部１３は、音声入力信号のレベルが６段目のしきい値以上で、７段目のしきい値未満のｔ９からｔ１０、及びｔ１１からｔ１２の期間は、６段目以下の電力増幅部に入力するスイッチング制御信号を１とし、７段目以上の電力増幅部に入力するスイッチング制御信号を０とする。またスイッチング制御部１３は、音声入力信号のレベルが７段目のしきい値以上で、８段目のしきい値未満のｔ１０からｔ１１の期間は、７段目以下の電力増幅部に入力するスイッチング制御信号を１とし、８段目の電力増幅部に入力するスイッチング制御信号を０とする。
【００２４】
電力増幅部１１ａ〜１１ｈは、スイッチング制御部１３から出力されたスイッチング制御信号に基づいて、搬送波分配部１２によって分配された搬送波を増幅し、合成部１４に出力する。電力増幅部１１ａ〜１１ｈは、スイッチング制御信号が１の期間、所定の振幅Ｖａに増幅された搬送波を出力し、スイッチング制御信号が０の期間は、信号を出力しない。
【００２５】
合成部１４は、電力増幅部１１ａ〜１１ｈの出力を合成する。図３は、各電力増幅部がすべて正常な場合の合成部の出力及び振幅変調信号を示す図である。図３に示すように合成部１４からの出力は、スイッチオンとされる増幅部の台数が変化するごとに、階段状に振幅が変化する信号となっている。合成部１４からの出力の振幅は、ｉ段目までの電力増幅部がスイッチオンとされる期間、ｉ×Ｖａの振幅となる。
【００２６】
図３に示すように、音声入力信号のレベルが１段目のしきい値未満のｔ３からｔ４、及びｔ１７からｔ１８の期間は、合成部１４の出力の振幅は０となる。音声入力信号のレベルが１段目のしきい値以上で、２段目のしきい値未満のｔ２からｔ３、ｔ４からｔ５、ｔ１６からｔ１７及びｔ１８からｔ１９の期間は、合成部１４の出力の振幅はＶａとなる。音声入力信号のレベルが２段目のしきい値以上で、３段目のしきい値未満のｔ１からｔ２、ｔ５からｔ６、ｔ１５からｔ１６及びｔ１９からｔ２０の期間は、合成部１４の出力の振幅は２Ｖａとなる。音声入力信号のレベルが３段目のしきい値以上で、４段目のしきい値未満のｔ６からｔ７、ｔ１４からｔ１５、及びｔ２０からｔ２１の期間は、合成部１４の出力の振幅は３Ｖａとなる。
【００２７】
音声入力信号のレベルが４段目のしきい値以上で、５段目のしきい値未満のｔ７からｔ８、及びｔ１３からｔ１４の期間は、合成部１４の出力の振幅は４Ｖａとなる。音声入力信号のレベルが５段目のしきい値以上で、６段目のしきい値未満のｔ８からｔ９、及びｔ１２からｔ１３の期間は、合成部１４の出力の振幅は５Ｖａとなる。音声入力信号のレベルが６段目のしきい値以上で、７段目のしきい値未満のｔ９からｔ１０、及びｔ１１からｔ１２の期間は、合成部１４の出力の振幅は６Ｖａとなる。音声入力信号のレベルが７段目のしきい値以上で、８段目のしきい値未満のｔ１０からｔ１１の期間は、合成部１４の出力の振幅は７Ｖａとなる。
【００２８】
合成部１４は、一般に、電力増幅部毎に設けられた高周波トランスの二次側を直列に接続して構成されている。合成部１４は、電力増幅部１１ａ〜１１ｈの電圧を加算する形で直列合成を行い、バンドパスフィルタ１５に出力する。
【００２９】
バンドパスフィルタ１５は、合成部１４の出力の搬送波の近傍の周波数成分のみを通過させ、搬送波の近傍以外の周波数成分を遮断する。バンドパスフィルタ１５は、合成部１４からの出力の振幅の変化を滑らかにした音声入力信号の振幅変調信号を出力する。
この合成部１４からの出力の振幅の変化が、バンドパスフィルタ１５により滑らかにされて、音声入力信号の振幅変調信号が出力される。振幅変調装置１が送信機の場合、バンドパスフィルタ１５から出力された振幅変調信号が送信される。
【００３０】
図４は、複数の電力増幅部が故障し故障補償動作がされない場合の合成部の出力及び振幅変調信号を示す図である。図４は、２段目の電力増幅部１１ｂと５段目の電力増幅部１１ｅが故障した例を示している。２段目の電力増幅部１１ｂと５段目の電力増幅部１１ｅが故障のため出力のレベルが０となっているため、振幅のピークとなる時刻ｔ１０からｔ１１の期間の振幅は、図３に示される正常時には７Ｖａ程度であるのが、図４においては５Ｖａ程度まで低下している。また図３の正常時の振幅変調信号と比較すると図４においては波形の欠損が大きく、高品質な振幅変調信号が得られない。
【００３１】
これに対し本実施形態の振幅変調装置１は、電力増幅部１１ａ〜１１ｈの故障をそれぞれ検知する複数の故障検知部１６ａ〜１６ｈと、検知された故障の数に基づいて音声入力信号のレベルを分類する段数を切り替える変調度制御部１７を有する。例えば２段目の電力増幅部１１ｂと５段目の電力増幅部１１ｅが故障した場合、電力増幅部１１ｂ及び電力増幅部１１ｅの故障を故障検知部１６ｂ及び故障検知部１６ｅが検知し、変調度制御部１７に電力増幅部１１ｂ及び電力増幅部１１ｈの故障を示す故障検知信号を出力する。
【００３２】
変調度制御部１７は、故障検知部１６ａ〜１６ｈからの故障検知信号に基づいて電力増幅部１１ａ〜１１ｈの故障の数を２台と検知する。変調度制御部１７は、検知した故障の数に基づいて音声入力信号のレベルを分類する段数を、図５に示すように例えば電力増幅部の台数８から故障の数２を減算して６段に切り替える。なお切り替える段数は電力増幅部の台数から故障の数を減算した数に限定されず、電力増幅部の台数から故障の数を減算した数より小さい数としてもよい。変調度制御部１７は、切り替え後の段数をスイッチング制御部１３に出力する。
【００３３】
なお、以下、故障検知部１６ａ〜１６ｈは、それぞれ１〜８段目の電力増幅部１１ａ〜１１ｈの故障を検知するため、それぞれ１〜８段目の故障検知部ともいう。またｉ段目の故障検知部はｉ−１段目の故障検知部より上位の段の故障検知部といい、ｉ＋１段目の故障検知部より下位の段の故障検知部ともいう。また例えば故障検知部１６ｅ以上の故障検知部とは、故障検知部１６ｅ〜１６ｈのことであり、故障検知部１６ｅ以下の故障検知部とは、故障検知部１６ａ〜１６ｅのことである。
【００３４】
次に本実施形態の動作について説明する。図５は、図１の動作を示すフローチャートである。図５に示すように、まず故障検知部１６ａ〜１６ｈは、電力増幅部１１ａ〜１１ｈの故障をそれぞれ検知する。このとき図４の例の場合、故障検知部１６ｂ及び故障検知部１６ｅは、２段目の電力増幅部１１ｂと５段目の電力増幅部１１ｅの故障を検知し、変調度制御部１７に２段目の電力増幅部１１ｂと５段目の電力増幅部１１ｅの故障を示す故障検知信号を出力する（ステップＳ１）。
【００３５】
変調度制御部１７は、故障検知部１６ａ〜１６ｈからの故障検知信号に基づいて電力増幅部１１ａ〜１１ｈの故障の数を検知する。変調度制御部１７は、検知した故障の数に基づいて音声入力信号のレベルを分類する段数を切り替える。上記の場合、変調度制御部１７は、検知した故障の数は２であると検知し、音声入力信号のレベルを分類する段数を、例えば電力増幅部の台数８から故障の数２を減算して６段に切り替える（ステップＳ２）。
【００３６】
スイッチング制御部１３は、変調度制御部１７から出力された段数で音声入力信号のレベルを分類する。図６は、複数の電力増幅部が故障したときの図１のスイッチング制御部の動作を示す図である。スイッチング制御部１３は、変調度制御部１７から出力された段数に応じてしきい値を生成する。８段から６段に切り替える場合、例えば図６に示すように当初の１段目のしきい値Ｖ１の８倍と、切り替え後の１段目のしきい値Ｖ１’の６倍が同じになるように切り替え後の１段目のしきい値をＶ１’とし、例えばｉ段目のしきい値は、ｉ×Ｖ１’とする。スイッチング制御部１３は、音声入力信号のレベルを、変調度制御部１７から出力された段数から生成されたしきい値に基づいて分類する（ステップＳ３）。
【００３７】
そしてスイッチング制御部１３は、分類した音声入力信号のレベルに対応し、電力増幅部１１ａ〜１１ｈをそれぞれスイッチング制御するためのスイッチング制御信号を生成する。スイッチング制御部１３は、変調度制御部１７から出力された段数が６の場合、この段数に対応する６種類のスイッチング制御信号を生成する。具体的には、音声入力信号のレベルが１段目のしきい値Ｖ１’未満の期間、すべてのスイッチング制御信号を０としたスイッチング制御信号を生成する。音声入力信号のレベルがｉ段目（ｉ＝１〜５）のしきい値ｉ×Ｖ１’以上で、ｉ＋１段目のしきい値（ｉ＋１）×Ｖ１’未満の期間、ｉ段目以下のスイッチング制御信号を１とし、ｉ＋１段目以上のスイッチング制御信号を０としたスイッチング制御信号を生成する。すなわちスイッチング制御部１３は、音声入力信号のレベルが１段目のしきい値以上で、２段目のしきい値未満のＴ２からＴ３、Ｔ４からＴ５、Ｔ１２からＴ１３及びＴ１４からｔ１５の期間は、１段目のスイッチング制御信号を１（スイッチオン）とし、２段目以上のスイッチング制御信号を０とする。
【００３８】
またスイッチング制御部１３は、音声入力信号のレベルが２段目のしきい値以上で、３段目のしきい値未満のＴ１からＴ２、Ｔ５からＴ６、Ｔ１１からＴ１２及びＴ１５からＴ１６の期間は、２段目以下のスイッチング制御信号を１とし、３段目以上のスイッチング制御信号を０とする。またスイッチング制御部１３は、音声入力信号のレベルが３段目のしきい値以上で、４段目のしきい値未満のＴ６からＴ７、及びＴ１０からＴ１１の期間は、３段目以下のスイッチング制御信号を１とし、４段目以上のスイッチング制御信号を０とする。
【００３９】
またスイッチング制御部１３は、音声入力信号のレベルが４段目のしきい値以上で、５段目のしきい値未満のＴ７からＴ８、及びＴ９からＴ１０の期間は、４段目以下のスイッチング制御信号を１とし、５段目以上のスイッチング制御信号を０とする。またスイッチング制御部１３は、音声入力信号のレベルが５段目のしきい値以上で、６段目のしきい値未満のＴ８からＴ９の期間は、５段目以下のスイッチング制御信号を１とし、６段目以上のスイッチング制御信号を０とする。
【００４０】
そしてスイッチング制御部１３は、音声入力信号のレベルを分類する段数に対応する６種類のスイッチング制御信号を、対応する電力増幅部１１ａ〜１１ｈに出力する。具体的には、スイッチング制御部１３は、図６に示すように、１段目の電力増幅部１１ａには１段目のスイッチング制御信号を出力し、２段目の電力増幅部１１ｂには２段目のスイッチング制御信号を出力する。
【００４１】
スイッチング制御部１３は、２段目の電力増幅部１１ｂが故障の場合は、その上位の各段において１つ下位の段のスイッチング制御信号を出力する。すなわちスイッチング制御部１３は、３段目の電力増幅部１１ｃにも２段目のスイッチング制御信号を出力し、４段目の電力増幅部１１ｄには３段目のスイッチング制御信号を出力し、５段目の電力増幅部１１ｅには４段目のスイッチング制御信号を出力する。
【００４２】
またスイッチング制御部１３は、５段目の電力増幅部１１ｅが故障の場合は、その上位の各段においてさらに１つ下位の段のスイッチング制御信号を出力する。すなわちスイッチング制御部１３は、６段目の電力増幅部１１ｆにも４段目のスイッチング制御信号を出力し、７段目の電力増幅部１１ｇには５段目のスイッチング制御信号を出力し、８段目の電力増幅部１１ｈには６段目のスイッチング制御信号を出力する。
【００４３】
このようにしてスイッチング制御部１３は、分類した音声入力信号のレベルに対応するスイッチング制御信号により電力増幅部１１ａ〜１１ｈをそれぞれスイッチング制御する（ステップＳ４）。
【００４４】
このようにスイッチング制御部１３は、音声入力信号のレベルを分類する段数に対応する６種類のスイッチング制御信号により、各段のスイッチング制御信号に対応する電力増幅部１１ａ〜１１ｈをそれぞれスイッチング制御する。
【００４５】
図７は、図６のスイッチング制御信号による合成部の出力及び振幅変調信号を示す図である。電力増幅部１１ａ〜１１ｈは、スイッチング制御部１３から出力されたスイッチング制御信号に基づいて、搬送波分配部１２によって分配された搬送波を増幅し、合成部１４に出力する。図６に示すように当初の１段目のしきい値Ｖ１の８倍と、切り替え後の１段目のしきい値Ｖ１’の６倍が同じになるように切り替え後の１段目のしきい値をＶ１’としている。故障した電力増幅部１１ｂ及び１１ｅ以外の電力増幅部は、スイッチング制御信号が１（スイッチオン）の期間、所定の振幅Ｖａに増幅された搬送波を出力し、スイッチング制御信号が０（スイッチオフ）の期間は、信号を出力しない。
【００４６】
合成部１４は、電力増幅部１１ａ〜１１ｈの出力を合成する。合成部１４からの出力の振幅は、１段目の電力増幅部がスイッチオンとされる期間、Ｖａとなり、３段目の電力増幅部１１ｃがスイッチオンとされる期間、２Ｖａとなり、４段目の電力増幅部１１ｄがスイッチオンとされる期間、３Ｖａとなる。また６段目の電力増幅部１１ｆがスイッチオンとされる期間、４Ｖａとなり、７段目の電力増幅部１１ｇがスイッチオンとされる期間、５Ｖａとなる。
【００４７】
バンドパスフィルタ１５は、合成部１４の出力の搬送波の近傍の周波数成分のみを通過させ、搬送波の近傍以外の周波数成分を遮断する。図７に示すように合成部１４からの出力は、スイッチオンとされる増幅部の台数が変化するごとに、階段状に振幅が変化する信号となっている。この合成部１４からの出力の振幅の変化が、バンドパスフィルタ１５により滑らかにされて、音声入力信号の振幅変調信号が出力される。振幅変調装置１が送信機の場合、バンドパスフィルタ１５から出力された信号が送信される。
【００４８】
図７に示すように、ピークの振幅までは補償はできないが、図３の電力増幅部の故障がない場合の振幅変調信号と比較して波形の欠損はなく高品質な振幅変調信号が得られている。
【００４９】
すなわち本実施形態によれば、変調度制御部１７が、検知した故障の数に基づいて音声入力信号のレベルを分類する段数を切り替え、スイッチング制御部１３が、切り替えられた段数で音声入力信号のレベルを分類し、上記段数に対応する数のスイッチング制御信号により対応する電力増幅部１１ａ〜１１ｈをそれぞれスイッチング制御する。このような構成により、振幅変調装置内の複数の電力増幅部が故障した場合でも放送品質に与える影響を少なくすることができる。
【００５０】
次に第２の実施形態について説明する。図８は、第２の実施形態の振幅変調装置の構成の一例を示すブロック図である。図８に示すように、本実施形態においては、スイッチング制御部２３が、スイッチング制御信号生成部２３１と、故障補償部２３２ｂ〜２３２ｈとを備えている。
【００５１】
なお、以下、故障補償部２３２ｂ〜２３２ｈはそれぞれ２〜８段目の電力増幅部１１ｂ〜１１ｈにスイッチング制御信号を出力するため、２〜８段目の故障補償部ともいう。また、ｉ段目の故障補償部はｉ−１段目の故障補償部より上位の段の故障補償部といい、ｉ＋１段目の故障補償部より下位の段の故障補償部ともいう。
【００５２】
本実施形態のスイッチング制御信号生成部２３１は、変調度制御部１７から出力される、音声入力信号を分類する段数に応じた複数のしきい値を生成する。またスイッチング制御信号生成部２３１は、生成した複数のしきい値に基づいて音声入力信号のレベルを変調度制御部１７から出力される段数で分類する。そして、スイッチング制御信号生成部２３１は、変調度制御部１７から出力される段数に対応する数のスイッチング制御信号を出力する。
【００５３】
また故障補償部２３２ｂ〜２３２ｈは、それぞれ故障補償部２３２ｂ〜２３２ｈより下位の段の電力増幅部の故障の数だけ、故障補償部２３２ｂ〜２３２ｈより下位の段のスイッチング制御信号を選択する。
【００５４】
また複数の故障補償部２３２ｂ〜２３２ｈは、選択したスイッチング制御信号を対応する電力増幅部１１ｂ〜１１ｈに出力する。またスイッチング制御信号生成部２３１から出力される最も下位の１段目のスイッチング制御信号はそのまま１段目の電力増幅部１１ａに出力される。
【００５５】
なお電力増幅部１１ａ〜１１ｈ、搬送波分配部１２、合成部１４、バンドパスフィルタ１５、故障検知部１６ａ〜１６ｈ及び変調度制御部１７は、第１の実施形態と同じ構成であり、説明は省略する。
【００５６】
またスイッチング制御部２３全体としては、第１の実施形態のスイッチング制御部１３と同様に動作し、振幅変調装置２に入力される音声入力信号のレベルに対応するスイッチング制御信号により電力増幅部１１ａ〜１１ｈをそれぞれスイッチング制御する。
【００５７】
次に本実施形態の動作について説明する。図９は、図８の動作を示すフローチャートである。本実施形態の振幅変調装置２は、第１の実施形態と同様に、例えば２段目の電力増幅部１１ｂと５段目の電力増幅部１１ｅが故障した場合、電力増幅部１１ｂ及び電力増幅部１１ｅの故障を故障検知部１６ｂ及び故障検知部１６ｅが検知する。故障検知部１６ｂ及び故障検知部１６ｅは、変調度制御部１７に電力増幅部１１ｂ及び電力増幅部１１ｈの故障を示す故障検知信号を出力する（ステップＳ１）。
【００５８】
変調度制御部１７は、第１の実施形態と同様に、故障検知部１６ａ〜１６ｈからの故障検知信号に基づいて電力増幅部１１ａ〜１１ｈの故障の数を２台と検知する。変調度制御部１７は、検知した故障の数に基づいて音声入力信号のレベルを分類する段数を、図５に示すように例えば電力増幅部の台数８から故障の数２を減算して６段に切り替える（ステップＳ２）。なお切り替える段数は電力増幅部の台数から故障の数を減算した数に限定されず、電力増幅部の台数から故障の数を減算した数より小さい数としてもよい。変調度制御部１７は、切り替え後の段数をスイッチング制御信号生成部２３１に出力する。
【００５９】
スイッチング制御信号生成部２３１は、変調度制御部１７から出力された段数で音声入力信号のレベルを分類する。このため本実施形態のスイッチング制御信号生成部２３１は、まず変調度制御部１７から出力された段数に応じてしきい値を生成する。８段から６段に切り替える場合、第１の実施形態と同様、例えば図５に示すように当初の１段目のしきい値Ｖ１の８倍と、切り替え後の１段目のしきい値Ｖ１’の６倍が同じになるように切り替え後の１段目のしきい値をＶ１’とし、例えばｉ段目のしきい値は、ｉ×Ｖ１’とする。そしてスイッチング制御信号生成部２３１は、図６に示すように、切り替え後のしきい値に基づいて音声入力信号のレベルを変調度制御部１７から出力された段数で分類する（ステップＳ３）。
【００６０】
次にスイッチング制御信号生成部２３１は、分類した音声入力信号のレベルに対応するスイッチング制御信号を生成する。スイッチング制御信号生成部２３１は、変調度制御部１７から出力された段数が６の場合、この段数に対応する６種類のスイッチング制御信号、すなわち１段目の電力増幅部から６段目の電力増幅部をスイッチング制御する６種類のスイッチング制御信号を、分類した音声入力信号のレベルに対応して生成する（ステップＳ１１）。
【００６１】
そしてスイッチング制御信号生成部２３１は、１段目から６段目のスイッチング制御信号を故障補償部２３２ｂ〜２３２ｈに出力する。例えば、図８においてスイッチング制御信号生成部から故障補償部２３２ｂ〜２３２ｈに接続される出力のうち右から１番目から６番目の出力は１段目から６段目のスイッチング制御信号であるとする。なお後述の７段目及び８段目のスイッチング制御信号は任意のスイッチング制御信号としてもよく、全期間０である信号としてもよい。
【００６２】
すなわち故障補償部２３２ｂには１段目のスイッチング制御信号が出力され、故障補償部２３２ｃには１段目及び２段目のスイッチング制御信号が出力され、故障補償部２３２ｄには１段目から３段目のスイッチング制御信号が出力され、故障補償部２３２ｅには１段目から４段目のスイッチング制御信号が出力される。また故障補償部２３２ｆには１段目から６段目のスイッチング制御信号が出力され、故障補償部２３２ｇには１段目から７段目のスイッチング制御信号が出力され、故障補償部２３２ｈには１段目から８段目のスイッチング制御信号が出力される。このように各段の故障補償部には各段以下のスイッチング制御信号が入力される。
【００６３】
なお図８に示すように、故障補償部２３２ｂの出力は２段目の電力増幅部１１ｂに出力され、故障補償部２３２ｃの出力は３段目の電力増幅部１１ｃに出力され、故障補償部２３２ｄの出力は４段目の電力増幅部１１ｄに出力され、故障補償部２３２ｅの出力は５段目の電力増幅部１１ｅに出力される。故障補償部２３２ｆの出力は６段目の電力増幅部１１ｆに出力され、故障補償部２３２ｇの出力は７段目の電力増幅部１１ｇに出力され、故障補償部２３２ｈの出力は８段目の電力増幅部１１ｈに出力される。
【００６４】
また図８に示すように、故障補償部２３２ｂには１段目の故障検知部１６ａからの故障検知信号が出力され、故障補償部２３２ｃには１段目及び２段目の故障検知部１６ａ、１６ｂからの故障検知信号が出力される。また故障補償部２３２ｄには１段目から３段目の故障検知部１６ａ〜１６ｃからの故障検知信号が出力され、故障補償部２３２ｅには１段目から４段目の故障検知部１６ａ〜１６ｄからの故障検知信号が出力される。
【００６５】
また故障補償部２３２ｆには１段目から５段目の故障検知部１６ａ〜１６ｅからの故障検知信号が出力され、故障補償部２３２ｇには１段目から６段目の故障検知部１６ａ〜１６ｆからの故障検知信号が出力され、故障補償部２３２ｈには１段目から７段目の故障検知部１６ａ〜１６ｇからの故障検知信号が出力される。このように各段の故障補償部には各段より下位の段の故障検知部からの故障検知信号が入力される。
【００６６】
故障補償部２３２ｂ〜２３２ｈは、２段目以上の各段において、各段より下位の段の電力増幅部の故障の数だけ各段より下位の段のスイッチング制御信号を選択する。例えば、２段目の電力増幅部１１ｂと５段目の電力増幅部１１ｅが故障の場合は、２段目の故障補償部２３２ｂは、下位の段の電力増幅部の故障の数は０であるので、２段目のスイッチング制御信号を選択する。
【００６７】
３段目の故障補償部２３２ｃは、下位の段の電力増幅部の故障の数は１であるので、３段目より１段下位の２段目のスイッチング制御信号を選択する。また４段目の故障補償部２３２ｄは、下位の電力増幅部の故障の数は１であるので、４段目より１段下位の３段目のスイッチング制御信号を選択する。５段目の故障補償部２３２ｅは、下位の電力増幅部の故障の数は１であるので、５段目より１段下位の４段目のスイッチング制御信号を選択する。
【００６８】
また６段目の故障補償部２３２ｆは、下位の電力増幅部の故障の数は２であるので、６段目より２段下位の４段目のスイッチング制御信号を選択する。７段目の故障補償部２３２ｇは、下位の電力増幅部の故障の数は２であるので、７段目より２段下位の５段目のスイッチング制御信号を選択する。８段目の故障補償部２３２ｈは、下位の電力増幅部の故障の数は２であるので、８段目より２段下位の６段目のスイッチング制御信号を選択する（ステップＳ１２）。
【００６９】
故障補償部２３２ｂ〜２３２ｈは、選択したスイッチング制御信号を、対応する各段の電力増幅部１１ｂ〜１１ｈに出力し、スイッチング制御する（ステップＳ１３）。
【００７０】
以上説明した本実施形態によっても、変調度制御部１７が、検知した故障の数に基づいて音声入力信号のレベルを分類する段数を切り替え、スイッチング制御信号生成部２３１が、切り替えられた段数で音声入力信号のレベルを分類する。そして故障補償部２３２ｂ〜２３２ｈが、上記段数に対応する数のスイッチング制御信号により対応する電力増幅部１１ａ〜１１ｈをそれぞれスイッチング制御する。
【００７１】
このような構成により、複数の電力増幅部が故障した場合でも、図７に示すように、図３の電力増幅部の故障がない場合の振幅変調信号と比較しても波形の欠損はなく高品質な振幅変調信号が得られる。したがって本実施形態によれば振幅変調装置内の複数の電力増幅部が故障した場合でも放送品質に与える影響を少なくすることができる。
【００７２】
次に第３の実施形態について説明する。図１０は、第３の実施形態の振幅変調装置の構成の一例を示すブロック図である。図１０に示すように、本実施形態においては、振幅変調装置３のスイッチング制御部３３が、スイッチング制御信号生成部２３１と、加算器３３１ｂ〜３３１ｈと、マルチプレクサ３３２ｂ〜３３２ｈとを備えている。なお、以下、マルチプレクサ３３２ｂ〜３３２ｈは、それぞれ２〜８段目の電力増幅部１１ｂ〜１１ｈにスイッチング制御信号を出力するため、それぞれ２〜８段目のマルチプレクサともいう。また例えばｉ−１段目のスイッチング制御信号はｉ段目のマルチプレクサより１段下位のスイッチング制御信号ともいう。また例えばｉ−１段目の電力増幅部はｉ段目の加算器より１段下位の段の電力増幅部ともいう。また加算器３３１ｂ〜３３１ｈは、２〜８段目のマルチプレクサ３３２ｂ〜３３２ｈに電力増幅部の故障の数を出力するため、それぞれ２〜８段目の加算器ともいう。
【００７３】
本実施形態の加算器３３１ｂ〜３３１ｈは、それぞれ下位の段の電力増幅部の故障の数をカウントする。またマルチプレクサ３３２ｂ〜３３２ｈは、カウントされた故障の数だけマルチプレクサ３３２ｂ〜３３２ｈより下位の段のスイッチング制御信号を選択する。本実施形態の加算器３３１ｂ〜３３１ｈの各段の機能と、マルチプレクサ３３２ｂ〜３３２ｈの各段の機能との組合せにより、第２の実施形態の故障補償部２３２ｂ〜２３２ｈの各段と同様の機能が実現されることになる。
【００７４】
スイッチング制御信号生成部２３１は、１段目から６段目のスイッチング制御信号をマルチプレクサ３３２ｂ〜３３２ｈに出力する。図１０においてスイッチング制御信号生成部からマルチプレクサ３３２ｂ〜３３２ｈに接続される出力のうち右から１番目から６番目の出力は１段目から６段目のスイッチング制御信号であるとする。なお後述の７段目及び８段目のスイッチング制御信号は任意のスイッチング制御信号としてもよく、全期間、０（スイッチオフ）である信号としてもよい。
【００７５】
マルチプレクサ３３２ｂには１段目のスイッチング制御信号が出力され、マルチプレクサ３３２ｃには１段目及び２段目のスイッチング制御信号が出力され、マルチプレクサ３３２ｄには１段目から３段目のスイッチング制御信号が出力され、マルチプレクサ３３２ｅには１段目から４段目のスイッチング制御信号が出力される。
【００７６】
またマルチプレクサ３３２ｆには１段目から６段目のスイッチング制御信号が出力され、マルチプレクサ３３２ｇには１段目から７段目のスイッチング制御信号が出力され、マルチプレクサ３３２ｈには１段目から８段目のスイッチング制御信号が出力される。このように各段のマルチプレクサには各段以下のスイッチング制御信号が入力される。
【００７７】
また図１０に示すように、マルチプレクサ３３２ｂの出力は２段目の電力増幅部１１ｂに出力され、マルチプレクサ３３２ｃの出力は３段目の電力増幅部１１ｃに出力され、マルチプレクサ３３２ｄの出力は４段目の電力増幅部１１ｄに出力され、マルチプレクサ３３２ｅの出力は５段目の電力増幅部１１ｅに出力される。マルチプレクサ３３２ｆの出力は６段目の電力増幅部１１ｆに出力され、マルチプレクサ３３２ｇの出力は７段目の電力増幅部１１ｇに出力され、マルチプレクサ３３２ｈの出力は８段目の電力増幅部１１ｈに出力される。
【００７８】
また図１０に示すように、２段目の加算器３３１ｂには１段目の故障検知部１６ａからの故障検知信号が出力され、加算器３３１ｂは、２段目のマルチプレクサ３３２ｂに１段目以下の電力増幅部の故障の数を出力する。３段目の加算器３３１ｃには１段目及び２段目の故障検知部１６ａ、１６ｂからの故障検知信号が出力され、加算器３３１ｃは、３段目のマルチプレクサ３３２ｃに２段目以下の電力増幅部の故障の数を出力する。
【００７９】
４段目の加算器３３１ｄには１段目から３段目の故障検知部１６ａ〜１６ｃからの故障検知信号が出力され、加算器３３１ｄは、４段目のマルチプレクサ３３２ｄに３段目以下の電力増幅部の故障の数を出力する。５段目の加算器３３１ｅには１段目から４段目の故障検知部１６ａ〜１６ｄからの故障検知信号が出力され、加算器３３１ｅは、５段目のマルチプレクサ３３２ｅに４段目以下の電力増幅部の故障の数を出力する。
【００８０】
また６段目の加算器３３１ｆには１段目から５段目の故障検知部１６ａ〜１６ｅからの故障検知信号が出力され、加算器３３１ｆは、６段目のマルチプレクサ３３２ｆに５段目以下の電力増幅部の故障の数を出力する。７段目の加算器３３１ｇには１段目から６段目の故障検知部１６ａ〜１６ｆからの故障検知信号が出力され、加算器３３１ｇは、７段目のマルチプレクサ３３２ｇに６段目以下の電力増幅部の故障の数を出力する。
【００８１】
８段目の加算器３３１ｈには１段目から７段目の故障検知部１６ａ〜１６ｇからの故障検知信号が出力され、加算器３３１ｈは、８段目のマルチプレクサ３３２ｈに７段目以下の電力増幅部の故障の数を出力する。このように各段の加算器には各段より下位の段の故障検知部からの故障検知信号が入力され、各段の加算器は、各段のマルチプレクサに各段より下位の段の電力増幅部の故障の数を出力する。
【００８２】
マルチプレクサ３３２ｂ〜３３２ｈは、２段目以上の各段において、各段より下位の段の電力増幅部の故障の数だけ各段より下位の段のスイッチング制御信号を選択する。例えば、２段目の電力増幅部１１ｂと５段目の電力増幅部１１ｅが故障の場合は、２段目のマルチプレクサ３３２ｂは、下位の段の電力増幅部の故障の数は０であるので、２段目のスイッチング制御信号を選択する。
【００８３】
３段目のマルチプレクサ３３２ｃは、下位の段の電力増幅部の故障の数は１であるので、３段目より１段下位の２段目のスイッチング制御信号を選択する。また４段目のマルチプレクサ３３２ｄは、下位の段の電力増幅部の故障の数は１であるので、４段目より１段下位の３段目のスイッチング制御信号を選択する。５段目のマルチプレクサ３３２ｅは、下位の段の電力増幅部の故障の数は１であるので、５段目より１段下位の４段目のスイッチング制御信号を選択する。
【００８４】
また６段目のマルチプレクサ３３２ｆは、下位の段の電力増幅部の故障の数は２であるので、６段目より２段下位の４段目のスイッチング制御信号を選択する。７段目のマルチプレクサ３３２ｇは、下位の電力増幅部の故障の数は２であるので、７段目より２段下位の５段目のスイッチング制御信号を選択する。８段目のマルチプレクサ３３２ｈは、下位の電力増幅部の故障の数は２であるので、８段目より２段下位の６段目のスイッチング制御信号を選択する。
【００８５】
マルチプレクサ３３２ｂ〜３３２ｈは、選択したスイッチング制御信号を、対応する各段の電力増幅部１１ｂ〜１１ｈに出力し、スイッチング制御する
以上説明した本実施形態によっても、変調度制御部１７が、検知した故障の数に基づいて音声入力信号のレベルを分類する段数を切り替え、スイッチング制御信号生成部２３１が、切り替えられた段数で音声入力信号のレベルを分類する。そしてマルチプレクサ３３２ｂ〜３３２ｈが、上記段数に対応する数のスイッチング制御信号により対応する電力増幅部１１ａ〜１１ｈをそれぞれスイッチング制御する。
【００８６】
このような構成により、複数の電力増幅部が故障した場合でも、図７に示すように、図３の電力増幅部の故障がない場合の振幅変調信号と比較して波形の欠損はなく高品質な振幅変調信号が得られる。したがって本実施形態によれば振幅変調装置内の複数の電力増幅部が故障した場合でも放送品質に与える影響を少なくすることができる。
【００８７】
なお以上の実施形態では、電力増幅部１１ａ〜１１ｈをそれぞれ１〜８段目の電力増幅部としたが、これに限定されず、電力増幅部の順位を逆転してもよい。電力増幅部１１ａを最も上位の８段目の電力増幅部、すなわち最も音声入力信号が高いレベルで動作する電力増幅部とし、電力増幅部１１ｈを最下位の段の電力増幅部、すなわち最も低いレベルでも動作する電力増幅部としてもよい。つまり電力増幅部１１ａ〜１１ｈはこの順で動作する音声入力信号のレベルが低くなり、したがって動作する時間が長くなるとしてもよい。この場合、例えば、故障検知部１６ｈ、故障補償部２３２ｈ、加算器３３１ｈ及びマルチプレクサ３３２ｈが最も上位の段の故障検知部、故障補償部、加算器及びマルチプレクサとなり、故障検知部１６ａ、故障補償部２３２ｂ、加算器３３１ｂ及びマルチプレクサ３３２ｂが最も下位の段の故障検知部、故障補償部、加算器及びマルチプレクサとなる。
【００８８】
なお第２の実施形態において電力増幅部の順位を逆転した変形例の構成は、図８の構成と同じでよい。すなわちこの変形例では、故障補償部２３２ｂ〜２３２ｈは、それぞれ故障補償部２３２ｂ〜２３２ｈより上位の段の電力増幅部の故障の数だけ、故障補償部２３２ｂ〜２３２ｈより上位の段のスイッチング制御信号を選択する。故障補償部２３２ｂ〜２３２ｈは、選択したスイッチング制御信号を対応する電力増幅部１１ｂ〜１１ｈに出力する。またスイッチング制御信号生成部２３１から出力される最も上位の８段目のスイッチング制御信号はそのまま８段目の電力増幅部１１ａに出力される構成となる。このような構成でも上記の実施形態と同様な効果が得られる。
【００８９】
また第３の実施形態において電力増幅部の順位を逆転した変形例の構成は、図１０の構成と同じでよい。すなわちこの変形例では、加算器３３１ｂ〜３３１ｈは各段より上位の段の電力増幅部の故障の数をカウントする。マルチプレクサ３３２ｂ〜３３２ｈは、各段より上位の段の電力増幅部の故障の数だけ、各段より上位の段のスイッチング制御信号を選択し、選択したスイッチング制御信号を対応する電力増幅部１１ｂ〜１１ｈに出力する。またスイッチング制御信号生成部２３１から出力される最も上位の８段目のスイッチング制御信号はそのまま８段目の電力増幅部１１ａに出力される構成となる。このような構成でも上記の実施形態と同様な効果が得られる。
【００９０】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００９１】
１、２、３    振幅変調装置
１１ａ〜１１ｈ    電力増幅部
１２    搬送波分配部
１３、２３、３３    スイッチング制御部
１４    合成部
１５    バンドパスフィルタ
１６ａ〜１６ｈ    故障検知部
１７    変調度制御部
２３１    スイッチング制御信号生成部
２３２ｂ〜２３２ｈ    故障補償部
３３１ｂ〜３３１ｈ    加算器
３３２ｂ〜３３２ｈ    マルチプレクサ
【図１】
2020031365.tif 000003
【図２】
2020031365.tif 000004
【図３】
2020031365.tif 000005
【図４】
2020031365.tif 000006
【図５】
2020031365.tif 000007
【図６】
2020031365.tif 000008
【図７】
2020031365.tif 000009
【図８】
2020031365.tif 000010
【図９】
2020031365.tif 000011
【図１０】
2020031365.tif 000012